(57)【要約】【課題】  本発明は、ネットワーク構成要素のモジュールのアクティブ／スタンバイ状態を決定する従来技術に関連する不利点及び問題を低減又は除去する。【解決手段】  ネットワーク構成要素の１又は複数のモジュールのアクティブ／スタンバイ状態を決定する段階は、サービスを提供するためにモジュールを通じる経路を設ける段階を有する。信号が当該経路に取り込まれ、当該経路は監視される。サービスが確立され、監視に従い準備される。モジュールは、サービスが準備できたと確認されることに応じて、アクティブ状態であると決定される。【選択図】  図３
2008289158.tif 000002
【特許請求の範囲】
【請求項１】
方法であって、ネットワーク構成要素の１又は複数のモジュールのアクティブ／スタンバイ状態を決定し、前記方法は：
ネットワーク構成要素の１又は複数のモジュールを通じた、サービスを提供するための経路を管理する段階；
信号を前記経路に導入する段階；
前記経路を監視する段階；
前記監視に従い前記サービスの準備ができていることを確認する段階；及び
前記サービスの準備ができていることの確認に応じて、前記１又は複数のモジュールがアクティブ状態であると決定する段階、を有する方法。
【請求項２】
前記ネットワーク構成要素の１又は複数のモジュールを通じた経路を管理する段階は：
前記１又は複数のモジュールの第１のモジュールの複数の第１のポートに前記１又は複数のモジュールの第２のモジュールの複数の第２のポートを割り付ける段階、を更に有する、請求項１記載の方法。
【請求項３】
前記ネットワーク構成要素の１又は複数のモジュールを通じた経路を管理する段階は：
前記１又は複数のモジュールの回線カード・モジュールの複数のエッジ・ポートを前記１又は複数のモジュールのマルチプレクサ・モジュールの複数のポートを割り付ける段階、を更に有する、請求項１記載の方法。
【請求項４】
前記ネットワーク構成要素の１又は複数のモジュールを通じた経路を管理する段階は：
前記経路の監視を開始するよう管理する段階、を更に有する、請求項１記載の方法。
【請求項５】
前記ネットワーク構成要素の１又は複数のモジュールを通じた経路を管理する段階は：
前記１又は複数のモジュールの回線カード・モジュールの複数の光チャンネル・ポートを前記１又は複数のモジュールの増幅器モジュールの複数の増幅器ポートに割り付けることにより、前記経路の監視を開始するよう管理する段階を更に有する、請求項１記載の方法。
【請求項６】
前記１又は複数のモジュールの１又は複数のモジュール設備がアクティブ状態であると決定する段階、を更に有する請求項１記載の方法。
【請求項７】
前記監視に従い前記サービスの準備ができていると確認する段階は：
１又は複数の状態が存在すると決定する段階；及び
前記１又は複数の状態が解決されたと決定する段階、を更に有する請求項１記載の方法。
【請求項８】
制御装置であって、ネットワーク構成要素の１又は複数のモジュールのアクティブ／スタンバイ状態を決定し、前記制御装置は：
ネットワーク構成要素の１又は複数のモジュールを記述する情報を格納するメモリー；及び
前記メモリーと結合された１又は複数のプロセッサー；を有し、前記プロセッサーは：
前記１又は複数のモジュールを通じた、サービスを提供するための経路を管理し；
前記経路に信号を導入し；
前記経路を監視し；
前記監視に従い前記サービスの準備ができていることを確認し；及び
前記サービスの準備ができていることの確認に応じて、前記１又は複数のモジュールがアクティブ状態であると決定する、制御装置。
【請求項９】
ロジックであって、ネットワーク構成要素の１又は複数のモジュールのアクティブ／スタンバイ状態を決定し、前記ロジックはコンピューター読み取り可能な媒体に具現化され、コンピューターにより実行されたときに：
ネットワーク構成要素の１又は複数のモジュールを通じた、サービスを提供するための経路を管理し；
信号を前記経路に導入し；
前記経路を監視し；
前記監視に従い前記サービスの準備ができていることを確認し；及び
前記サービスの準備ができていることの確認に応じて、前記１又は複数のモジュールがアクティブ状態であると決定する、ロジック。
【請求項１０】
システムであって、ネットワーク構成要素の１又は複数のモジュールのアクティブ／スタンバイ状態を決定し、前記システムは：
ネットワーク構成要素の１又は複数のモジュールを通じた、サービスを提供するための経路を管理する手段；
信号を前記経路に導入する手段；
前記経路を監視する手段；
前記監視に従い前記サービスの準備ができていることを確認する手段；及び
前記サービスの準備ができていることの確認に応じて、前記１又は複数のモジュールがアクティブ状態であると決定する手段、を有するシステム。
【発明の詳細な説明】
【技術分野】
【０００１】
本発明は、一般的に通信ネットワークの分野に関し、より詳細にはサービス準備性からのアクティブ／スタンバイ状態の決定に関する。
【背景技術】
【０００２】
ネットワーク構成要素モジュールは、当該モジュールがアクティブ状態かスタンバイ状態かを示すアクティブ／スタンバイ状態を有して良い。例えば、ネットワーク構成要素は、当該構成要素のために種々の動作を実行する回線カードを備えて良い。回線カードは、当該回線カードがアクティブ状態かスタンバイ状態かを示す個々のアクティブ／スタンバイ状態を有して良い。アクティブ状態は当該回線カードが使用中であることを示し、スタンバイ状態は当該回線カードが非使用中であるが使用に供される準備ができていることを示して良い。
【発明の開示】
【発明が解決しようとする課題】
【０００３】
本発明は、ネットワーク構成要素のモジュールのアクティブ／スタンバイ状態を決定する従来技術に関連する不利点及び問題を低減又は除去する。
【課題を解決するための手段】
【０００４】
本発明のある実施例によると、ネットワーク構成要素の１又は複数のモジュールのアクティブ／スタンバイ状態を決定する段階は、サービスを提供するためにモジュールを通じる経路を設ける段階、を有する。信号が当該経路に取り込まれ、当該経路は監視される。サービスが確立され、監視に従い準備される。モジュールは、サービスが準備できたと確認されることに応じて、アクティブ状態であると決定される。
【発明の効果】
【０００５】
本発明の特定の実施例は、１又は複数の技術的利点を提供し得る。ある実施例の技術的利点は、ネットワーク構成要素のサービス準備性が当該ネットワーク構成要素のモジュールのアクティブ／スタンバイ状態の決定に用いられ得ることである。サービスを提供するための経路が提供され監視される。サービスの準備ができると、当該経路のモジュールはアクティブ状態を有するよう指定されて良い。ある実施例の別の技術的利点は、準備のできたサービスを提供する経路のモジュール設備もアクティブ状態を有すると決定されて良いことである。
【０００６】
本発明の特定の実施例は、上述の技術的利点の何れも有さないか、又はいくつか若しくは全てを有して良い。１又は複数の他の技術的利点は、以下の図、記載、及び請求項から当業者に直ちに明らかである。
【発明を実施するための最良の形態】
【０００７】
本発明並びにその特徴及び利点のより完全な理解のため、添付の図と共に以下の説明を参照する。
【０００８】
本発明の実施例及びそれらの利点は、図１乃至３を参照することにより最も理解される。図中の類似の参照番号は類似の部分を表す。
【０００９】
図１は、アクティブ／スタンバイ状態が決定され得るモジュール２４を有するネットワーク・システムの一部１０のある実施例を示す。この実施例によると、サービス準備性はモジュール２４のアクティブ／スタンバイ状態を決定するために用いられて良い。サービスを提供するためのモジュール２４を通じた経路３２が提供され監視されて良い。サービスの準備ができると、モジュール２４はアクティブ状態を有するよう指定されて良い。モジュール２４ａの設備２６もアクティブ状態を有すると決定されて良い。
【００１０】
ネットワーク・システム部分１０は信号を通じて情報を通信する。情報は、音声、データ、オーディオ、ビデオ、マルチメディア、制御、シグナリング、他の情報、又はこれらの如何なる組合せも含んで良い。信号は光パルスとして伝送される光信号を表して良い。例として、光信号は、周波数が約１５５０ナノメーターであり、データ・レートが毎秒１０、２０、４０、又は４０より高いギガビットであって良い。
信号は、情報をパケットで通信する同期転送信号（ＳＴＳ）を有して良い。
【００１１】
ある実施例によると、部分１０はリング型ネットワーク、例えば光ファイバーを備えた光リング型ネットワークの一部であって良い。リング型ネットワークは、ファイバーによりリング型、例えば単方向パス切り替えリング（ＵＰＳＲ）型又は双方向ライン切り替えリング（ＢＬＳＲ）型に結合されたノードを有して良い。リング型ネットワークは、パケットが各ノードで追加、通過、若しくは落とされるリング型転送方式（ＲＰＲ）プロトコルのようなプロトコルを利用して良い。ある実施例によると、リング型ネットワークは如何なる適切な送信技術、例えば同期光ファイバー・ネットワーク（ＳＯＮＥＴ）又は波長分割多重（ＷＤＭ）（例えば高密度波長分割多重（ＤＷＤＭ））技術を利用されて良い。
【００１２】
図示された実施例によると、部分１０は示されたように結合されたネットワーク構成要素２０ａ−ｂ、ファイバー２２、クライアント２８、及び経路３２を有する。ネットワーク構成要素２０ａはモジュール２４ａ−ｃ及び制御部３４を有し、モジュール２４ａは設備２６を有する。制御部３４はロジック３５及びメモリー３７を有する。経路３２ａは点ＡとＢを結合し、経路３２ｂは点ＡとＣを結合する。
【００１３】
ネットワーク構成要素２０ａ−ｂは、信号をネットワーク・システムへ又はネットワーク・システムから転送するよう動作可能な如何なる適切な装置を表す。ネットワーク構成要素２０の例は、高密度波長分割多重（ＤＷＤＭ）、光追加／ドロップ・マルチプレクサ（ＯＡＤＭ）、アクセス・ゲートウェイ、エンドポイント、ソフトスイッチ・サービス、幹線ゲートウェイ、アクセス・サービス・プロバイダー、インターネット・サービス・プロバイダー、又はリング型ネットワークへ又はリング型ネットワークからパケットを転送するよう動作可能な他の装置を含む。
【００１４】
モジュール２４は、信号を処理しネットワーク構成要素２０の動作を実行する、ネットワーク構成要素２０のロジック（例えばソフトウェア及び／又はハードウェア）を有する。モジュール２４の例は、図２を参照して以下に詳細に記載される。モジュール２４は他のモジュール２４、例えば設備２６を有して良い。設備２６は特定サービスのトラフィックを支援する。設備２６の例は、図２を参照して以下に詳細に記載される。
【００１５】
ある実施例によると、モジュール２４はアクティブ／スタンバイ状態を有して良い。アクティブ／スタンバイ状態は、モジュール２４がアクティブ状態を有するかスタンバイ状態を有するかを示して良い。モジュール２４は、モジュール２４が使用中の場合にアクティブ状態であって良く、モジュール２４が使用のために準備ができていない場合にスタンバイ状態であって良い。
【００１６】
経路３２は、経路３２の一端から経路３２の他端へ信号を通信する媒体を有する。当該媒体はモジュール２４内またはモジュール２４の間の接続を有して良い。サービスは経路３２に沿って信号を通信し、経路３２が信号を通信するときに準備ができているとして指定されて良い。
【００１７】
クライアント２８は、信号をネットワーク構成要素２０へ／から通信する如何なる適切なコンピューター又はコンピューター又はコンピューター・システムも表す。クライアント２８はネットワーク構成要素２０を用い信号をネットワーク・システムへ送信するか、又はネットワーク・システムから受信する。
【００１８】
制御部３４は、ネットワーク構成要素２０を管理する動作を実行し、ネットワーク構成要素管理カードを有して良い。例えば、制御部３４は設定、管理、及び／又は監視動作を実行する。制御部３４は、制御部３４の機能を実行するロジック３５、及び制御部３４の機能に関連する情報、例えば経路３２のモジュール２４に関する情報を格納するメモリー３７を有する。
【００１９】
ある実施例によると、制御部３４は経路３２を管理し、経路３２の始点から終点へ信号を通信する接続を確立することによりサービスを提供する。接続は割付ポートにより確立されて良い。例えば、モジュール２４ａ−ｂの間の経路３２は、第１のモジュール２４ａの第１のポートを第２のモジュール２４ｂの第２のポートに割り付けることにより管理され、信号を当該第１のポートから当該第２のポートへ伝達させて良い。
【００２０】
ある実施例によると、制御部３４はモジュール２４のアクティブ／スタンバイ状態を決定する。この実施例では、制御部３４は、ＡからＢへのモジュール２４を通じる経路３２ａを管理し、サービスを設定し、信号を入力Ａを通じて送信する。制御部３４は、光チャンネル監視装置３４と連携して経路３２ａを監視し、状態がサービスに影響するか、例えばパケット流に影響するか又は乱すか否かを確認する。そのような状態が存在する場合、制御部３４は当該状態を解決、例えば経路３２ａが適正に管理されていたか否かを決定して良い。状態が解決されると、制御部３４はサービスの準備ができたと決定する。
【００２１】
サービスの準備ができている場合、サービスを提供している経路３２のモジュール２４はアクティブ状態を有すると決定されて良い。その他の場合、モジュール２４はスタンバイ状態を有すると決定されて良い。例えば、経路３２により提供されるサービスの準備ができている場合、モジュール２４ａ−ｃはアクティブ状態を有すると決定されて良い。その他の場合、モジュール２４ａ−ｃはスタンバイ状態を有すると決定されて良い。設備３４により実行される動作の例は、図３を参照して以下に詳細に記載される。
【００２２】
制御部３４は他の適切な動作を実行し、ネットワーク構成要素２０を設定、管理、及び／又は監視して良い。例として、制御部３４はユーザー・インターフェースを通じてユーザーからの命令を受信し、命令を実行してネットワーク構成要素２０を設定、管理、及び／又は監視して良い。別の例として、制御部８４は、ネットワーク構成要素２０に関する情報の設定、管理、及び／又は監視をネットワーク・システムの他の構成要素へ提供して良い。
【００２３】
部分１０の構成要素は、当該構成要素の動作を実行する如何なる適切な部分、例えばロジック、インターフェース、メモリー、他の構成要素、又はそれらの如何なる組合せとして有して良い。「ロジック」はハードウェア、ソフトウェア、他のロジック、又はそれらの如何なる組合せを表しても良い。ロジックはコンピューター読み取り可能な媒体に具現化され、コンピューターにより実行されたときに機能を実行して良い。特定のロジックは、装置の動作を管理して良く、例えばプロセッサーを有して良い。「プロセッサー」は、命令を実行しデータを操作し動作を実行する如何なる適切な装置を表しても良い。
【００２４】
「インターフェース」は装置への入力を受信し、装置からの出力を送信し、入力及び／又は出力の適切な処理を実行し、又はそれらの如何なる組合せを行って良く、及び１又は複数のポート及び／又は変換ソフトウェアを有して良い。「メモリー」は情報を格納し読み出しを助けて良く、ランダム・アクセス・メモリー（ＲＡＭ）、読み出し専用メモリー（ＲＯＭ）、磁気ドライブ、ディスク・ドライブ、コンパクト・ディスク（ＣＤ）ドライブ、デジタル・ビデオ・ディスク（ＤＶＤ）ドライブ、取り外し可能な記憶媒体、如何なる他の適切なデータ記憶媒体、又はそれらの如何なる組合せを含んで良い。
【００２５】
本発明の範囲から逸脱することなくネットワーク・システム部分１０の変更、追加、又は省略が行われて良い。ネットワーク・システム部分１０の構成要素は特定の必要に応じて統合又は分離されて良い。更に、ネットワーク・システム部分１０の動作は更に多くの、更に少ない、又は他の装置により実行されて良い。更に、ネットワーク・システム部分１０の動作は如何なる適切なロジックを用い実行されて良い。本願明細書で用いられるように、「各」の語はセットの各構成要素、又はセットの下位セットの各構成要素を表す。
【００２６】
図２は、図１のネットワーク・システム部分１０と共に用いられ得るネットワーク構成要素２０のある実施例を示す。図示された実施例によると、ネットワーク構成要素２０は示されるように結合された回線カード４０、マルチプレクサ−デマルチプレクサ（ＭＵＸ−ＤＥＭＵＸ）４４、光スイッチ４８、及び増幅器５２を有する。回線カード４０は、示されるように結合されたクライアント設備６０、スイッチ構造６４、ネットワーク設備６６、及びポート（ＯＣＨ）７０を有する。ＭＵＸ−ＤＥＭＵＸ４４は、示されるように結合された（マルチプレクサ・ポート７８を有する）マルチプレクサ７４及びデマルチプレクサ８０を有する。光スイッチ４８は光チャンネル監視装置８４を有する。増幅器５２は増幅器ポート（ＷＣＨ）８８を有する。
【００２７】
回線カード４０はクライアント２８とネットワークとの間で信号を通信するために動作を実行する。動作の例は、信号のルーティング、信号集約及び／又は分離、アナログ−デジタル及び／又はデジタル−アナログ変換、符号化及び／又は復号化、及び／又は信号変換を含み、異なるプロトコルを満たす。回線カード４０の例は、中継器、マックスポンダ、及びフレックスポンダを含む。
【００２８】
設備６０又は６６は特定サービスのトラフィックを支援する。設備６０又は６６は、特定のパラメーター、例えばフォーマット、プロトコル、トラフィック・レート、及び／又は他のパラメーターに従い通信を可能にして良い。クライアント設備６０は特定のクライアント２８との通信を支援し、小ファクターの着脱可能小型フォームファクタ（ＳＥＰ）として実施されて良い。ネットワーク設備６６はネットワーク・システムとの通信を支援する。スイッチ構造７６はクライアント設備６０からの信号を集約し、及び／又はクライアント設備６０向けの信号を分離する。エッジ・ポート７０は個々のチャンネルの信号をマルチプレクサ７４の個々のポート７８へ通信する。
【００２９】
ＭＵＸ−ＤＥＭＵＸ４４のマルチプレクサ７４は回線カード４０から受信した信号を多重化する。マルチプレクサ・ポート７８は個々のエッジ・ポート７０からの信号を受信する。デマルチプレクサ８０は光スイッチ４８から受信した信号を逆多重化する。
【００３０】
光スイッチ４８はＭＵＸ−ＤＥＭＵＸ４４から受信した光信号を切り替える。光チャンネル監視装置８４はＭＵＸ−ＤＥＭＵＸ４４からの信号を監視する。光チャンネル監視装置８４は、信号が特定のチャンネルで適切に通信されているか否かを決定して良い。光チャンネル監視装置８４はまた、信号を分析し信号品質を決定して良い。
【００３１】
増幅器５２は光スイッチ４８から受信した信号を増幅する。増幅器ポート８８は個々のチャンネルの信号を受信する。増幅器５２は光チャンネル監視装置８４に、個々のポート８８で受信される信号が受信されたか又は受信されていないかを知らせて良い。
【００３２】
本発明の範囲から逸脱することなくネットワーク構成要素２０の変更、追加、又は省略が行われて良い。ネットワーク構成要素２０の構成要素は特定の必要に応じて統合又は分離されて良い。更に、ネットワーク構成要素２０の動作は更に多くの、更に少ない、又は他の装置により実行されて良い。更に、ネットワーク構成要素２０の動作は如何なる適切なロジックを用い実行されて良い。
【００３３】
図３は、図２のネットワーク構成要素２０と共に用いられ得る、サービス準備性からアクティブ／スタンバイ状態を確立する方法のある実施例を示す。ある実施例によると、制御部３４は方法を実行して良い。
【００３４】
段階１１０及び１１４は、経路３２へのサービスの提供を記述する。段階１１０で、点Ａから点Ｂへ信号を伝達するポートが割り付けられる。図示された実施例では、エッジ・ポート７０はマルチプレクサ・ポート７８に割り付けられ、スイッチ・ポート８５は増幅器ポート８６に割り付けられる。段階１１４で、光チャンネル監視装置８４により監視を開始するポートが割り付けられる。図示された実施例では、エッジ・ポート７０は増幅器ポート８６に割り付けられて良い。
【００３５】
段階１１８で、信号は入力Ａに導入される。段階１２２で、光チャンネル監視装置８４は経路３２を監視し信号を分析及び検証する。他のモジュール２４は光チャンネル監視装置８４に状態を報告して良い。例えば、増幅器ポート８８は信号を受信していないと報告して良い。
【００３６】
段階１２６で状態が存在する場合、方法は段階１３０へ進む。段階１３０で、制御部３４は当該状態を解決しようと試みる。例として、制御部３４は経路３２の割付を検査して良い。方法は次に段階１２２へ戻り、光チャンネル監視装置８４は経路３２を監視し続ける。段階１２６で如何なる状態も存在しない場合、方法は段階２３６へ進む。
【００３７】
段階１３８で、制御部３４はサービスの準備ができていると決定する。段階１４０で、制御部はモジュール２４がアクティブ状態であると報告する。段階１４４で、制御部３４は、回線カード４０のクライアント設備６０及びネットワーク設備６６もアクティブ状態であると報告する。アクティブ状態を報告した後、方法は終了する。
【００３８】
本発明の範囲から逸脱することなく方法の変更、追加、又は省略が行われて良い。方法は、より多くの、より少ない、又は他の段階を有して良い。更に、段階は本発明の範囲から逸脱することなく如何なる適切な順序で実行されて良い。
【００３９】
本発明の特定の実施例は、１又は複数の技術的利点を提供し得る。ある実施例の技術的利点は、ネットワーク構成要素のサービス準備性が当該ネットワーク構成要素のモジュールのアクティブ／スタンバイ状態の決定に用いられ得ることである。サービスを提供するための経路が提供され監視される。サービスの準備ができると、当該経路のモジュールはアクティブ状態を有するよう指定されて良い。ある実施例の別の技術的利点は、準備のできたサービスを提供する経路のモジュール設備もアクティブ状態を有すると決定されて良いことである。
【００４０】
本開示は特定の実施例及び一般的に関連方法の観点から記載されたが、これら実施例及び方法の変更及び置換は当業者に明らかであろう。従って、例である実施例の上述の記載は、本開示を制限するものではない。他の変化、代替、及び変更も特許請求の範囲に定められたように本開示の精神及び範囲から逸脱することなく可能である。
（付記１）  方法であって、ネットワーク構成要素の１又は複数のモジュールのアクティブ／スタンバイ状態を決定し、前記方法は：
ネットワーク構成要素の１又は複数のモジュールを通じた、サービスを提供するための経路を管理する段階；
信号を前記経路に導入する段階；
前記経路を監視する段階；
前記監視に従い前記サービスの準備ができていることを確認する段階；及び
前記サービスの準備ができていることの確認に応じて、前記１又は複数のモジュールがアクティブ状態であると決定する段階、を有する方法。
（付記２）  前記ネットワーク構成要素の１又は複数のモジュールを通じた経路を管理する段階は：
前記１又は複数のモジュールの第１のモジュールの複数の第１のポートに前記１又は複数のモジュールの第２のモジュールの複数の第２のポートを割り付ける段階、を更に有する、付記１記載の方法。
（付記３）  前記ネットワーク構成要素の１又は複数のモジュールを通じた経路を管理する段階は：
前記１又は複数のモジュールの回線カード・モジュールの複数のエッジ・ポートを前記１又は複数のモジュールのマルチプレクサ・モジュールの複数のポートを割り付ける段階、を更に有する、付記１記載の方法。
（付記４）  前記ネットワーク構成要素の１又は複数のモジュールを通じた経路を管理する段階は：
前記経路の監視を開始するよう管理する段階、を更に有する、付記１記載の方法。
（付記５）  前記ネットワーク構成要素の１又は複数のモジュールを通じた経路を管理する段階は：
前記１又は複数のモジュールの回線カード・モジュールの複数の光チャンネル・ポートを前記１又は複数のモジュールの増幅器モジュールの複数の増幅器ポートに割り付けることにより、前記経路の監視を開始するよう管理する段階を更に有する、付記１記載の方法。
（付記６）  前記１又は複数のモジュールの１又は複数のモジュール設備がアクティブ状態であると決定する段階、を更に有する付記１記載の方法。
（付記７）  前記監視に従い前記サービスの準備ができていると確認する段階は：
１又は複数の状態が存在すると決定する段階；及び
前記１又は複数の状態が解決されたと決定する段階、を更に有する付記１記載の方法。
（付記８）  制御装置であって、ネットワーク構成要素の１又は複数のモジュールのアクティブ／スタンバイ状態を決定し、前記制御装置は：
ネットワーク構成要素の１又は複数のモジュールを記述する情報を格納するメモリー；及び
前記メモリーと結合された１又は複数のプロセッサー；を有し、前記プロセッサーは：
前記１又は複数のモジュールを通じた、サービスを提供するための経路を管理し；
前記経路に信号を導入し；
前記経路を監視し；
前記監視に従い前記サービスの準備ができていることを確認し；及び
前記サービスの準備ができていることの確認に応じて、前記１又は複数のモジュールがアクティブ状態であると決定する、制御装置。
（付記９）  前記１又は複数のプロセッサーは：
前記１又は複数のモジュールの第１のモジュールの複数の第１のポートに前記１又は複数のモジュールの第２のモジュールの複数の第２のポートを割り付けることにより、前記ネットワーク構成要素の１又は複数のモジュールを通じた経路を更に管理する、付記８記載の制御装置。
（付記１０）  前記１又は複数のプロセッサーは：
前記１又は複数のモジュールの回線カード・モジュールの複数のエッジ・ポートを前記１又は複数のモジュールのマルチプレクサ・モジュールの複数のポートに割り付けることにより、前記ネットワーク構成要素の１又は複数のモジュールを通じた経路を更に管理する、付記８記載の制御装置。
（付記１１）  前記１又は複数のプロセッサーは：
前記経路の監視を開始するよう管理することにより、前記ネットワーク構成要素の１又は複数のモジュールを通じた経路を更に管理する、付記８記載の制御装置。
（付記１２）  前記１又は複数のプロセッサーは：
前記１又は複数のモジュールの回線カード・モジュールの複数の光チャンネル・ポートを前記１又は複数のモジュールの増幅器モジュールの複数の増幅器ポートに割り付けることにより、前記経路の監視を開始するよう管理し、それにより前記ネットワーク構成要素の１又は複数のモジュールを通じた経路を更に管理する、付記８記載の制御装置。
（付記１３）  前記１又は複数のプロセッサーは：
１又は複数のモジュールの１又は複数のモジュール設備がアクティブ状態であると更に決定する、付記８記載の制御装置。
（付記１４）  前記１又は複数のプロセッサーは：
１又は複数の状態が存在すると決定すること；及び
前記１又は複数の状態が解決されたと決定すること；
により、前記監視に従い前記サービスの準備ができていることを更に確認する、付記８記載の制御装置。
（付記１５）  ロジックであって、ネットワーク構成要素の１又は複数のモジュールのアクティブ／スタンバイ状態を決定し、前記ロジックはコンピューター読み取り可能な媒体に具現化され、コンピューターにより実行されたときに：
ネットワーク構成要素の１又は複数のモジュールを通じた、サービスを提供するための経路を管理し；
信号を前記経路に導入し；
前記経路を監視し；
前記監視に従い前記サービスの準備ができていることを確認し；及び
前記サービスの準備ができていることの確認に応じて、前記１又は複数のモジュールがアクティブ状態であると決定する、ロジック。
（付記１６）  前記１又は複数のモジュールの第１のモジュールの複数の第１のポートに前記１又は複数のモジュールの第２のモジュールの複数の第２のポートを割り付けることにより、前記ネットワーク構成要素の１又は複数のモジュールを通じた経路を更に管理する、付記１５記載のロジック。
（付記１７）  前記１又は複数のモジュールの回線カード・モジュールの複数のエッジ・ポートを前記１又は複数のモジュールのマルチプレクサ・モジュールの複数のポートに割り付けることにより、前記ネットワーク構成要素の１又は複数のモジュールを通じた経路を更に管理する、付記１５記載のロジック。
（付記１８）  前記経路の監視を開始するよう管理することにより、前記ネットワーク構成要素の１又は複数のモジュールを通じた経路を更に管理する、付記１５記載のロジック。
（付記１９）  前記１又は複数のモジュールの回線カード・モジュールの複数の光チャンネル・ポートを前記１又は複数のモジュールの増幅器モジュールの複数の増幅器ポートに割り付けることにより、前記経路の監視を開始するよう管理し、それにより前記ネットワーク構成要素の１又は複数のモジュールを通じた経路を更に管理する、付記１５記載のロジック。
（付記２０）  前記１又は複数のモジュールの１又は複数のモジュール設備がアクティブ状態であると更に決定する、付記１５記載のロジック。
（付記２１）  １又は複数の状態が存在すると決定すること；及び
前記１又は複数の状態が解決されたと決定すること；
により、前記監視に従い前記サービスの準備ができていると更に確認する、付記１５記載のロジック。
（付記２２）  システムであって、ネットワーク構成要素の１又は複数のモジュールのアクティブ／スタンバイ状態を決定し、前記システムは：
ネットワーク構成要素の１又は複数のモジュールを通じた、サービスを提供するための経路を管理する手段；
信号を前記経路に導入する手段；
前記経路を監視する手段；
前記監視に従い前記サービスの準備ができていることを確認する手段；及び
前記サービスの準備ができていることの確認に応じて、前記１又は複数のモジュールがアクティブ状態であると決定する手段、を有するシステム。
【図面の簡単な説明】
【００４１】
【図１】アクティブ／スタンバイ状態が決定され得るモジュールを有するネットワーク・システムの一部のある実施例を示す。
【図２】図１のネットワーク・システムの部分と共に用いられ得るネットワーク構成要素のある実施例を示す。
【図３】図２のネットワーク構成要素と共に用いられ得る、サービス準備性からアクティブ／スタンバイ状態を確認する方法のある実施例を示す。
【図１】
2008289158.tif 000003
【図２】
2008289158.tif 000004
【図３】
2008289158.tif 000005